(57)【特許請求の範囲】
【請求項１】
走行機体の後部に装着され、該走行機体から動力を受け、元畦の一部及び圃場を耕耘して畦状に盛り上げる耕耘ロ−タ（１８）を備えた前処理体（１９）、及びこの前処理体（１９）により耕耘された土壌を回転しながら畦に成形するドラム状の整畦体（２０）を備え、前記前処理体（１９）及び整畦体（２０）を１つのフレーム構造により支持し、かつ１つの伝動フレーム（１２）から前処理体（１９）及び整畦体（２０）に動力伝達するようにした畦塗り機（１）において、
上記伝動フレーム（１２）の基端部を機体の出力部（１１）に対し水平方向に回動自在に軸支し、伝動フレーム（１２）の先端部に前記前処理体（１９）及び整畦体（２０）を水平方向に回動可能に支持し、該伝動フレーム（１２）の基端側軸支部に設けたリンク体（２５）を介して伝動フレーム（１２）を水平方向に回動可能とすると共に、該伝動フレーム（１２）の基端側軸支部を本体フレーム（２）に対して水平方向に移動させる平行リンク（５，６）を設け、該平行リンク（５，６）を介して前処理体（１９）及び整畦体（２０）の水平方向の移動量を調節可能に支持したことを特徴とする畦塗り機。
【請求項２】
上記リンク体（２５）及び平行リンク（５，６）にシリンダ機構（２６，２２）を介装し、これらシリンダ機構（２６，２２）の伸縮作動により前処理体（１９）及び整畦体（２０）を水平方向に回動し、あるいは水平方向の移動量を調節可能としたことを特徴とする請求項１記載の畦塗り機。
【発明の詳細な説明】
【０００１】
【発明の属する技術分野】
本発明は、元畦の一部及び圃場を耕耘して畦状に盛り上げる前処理体、及びこの前処理体により耕耘された土壌を回転しながら畦に成形する整畦体を、水平方向に回動し、あるいは水平方向の移動量を調節可能とした畦塗り機に関する。
【０００２】
【従来の技術】
走行機体の後部に本体フレームが装着され、該本体フレームに、整畦体及び前処理体を左右オフセット状態に設け、上記整畦体及び前処理体を、本体フレームに対して左右方向に回動可能に支持し、整畦体及び前処理体を、機体の進行方向に対してオフセットされた通常作業位置から直角旋回位置及び１８０度旋回作業位置に固定、固定解除可能に支持した畦塗り機が、本出願人により特願平８−１５８４７１号（特開平１０−４７０６号）において提案されている。
【０００３】
【発明が解決しようとする課題】
上記先行技術の畦塗り機においては、前処理体及び整畦体の伝動、オフセット回動支持構造が複雑であり、また、水平方向の回動、切り換え操作が面倒なものであった。さらに、前処理体及び整畦体自体を、後進して作業を行うために水平方向に１８０度回転させることはできなかった。本発明は、このような問題点を解決することを目的になされたものである。
【０００４】
【課題を解決するための手段】
上記の目的を達成するために本発明は、
Ａ．走行機体の後部に装着され、該走行機体から動力を受け、元畦の一部及び圃場を耕耘して畦状に盛り上げる耕耘ロ−タ１８を備えた前処理体１９、及びこの前処理体１９により耕耘された土壌を回転しながら畦に成形するドラム状の整畦体２０を備え、前記前処理体１９及び整畦体２０を１つのフレーム構造により支持し、かつ１つの伝動フレーム１２から前処理体１９及び整畦体２０に動力伝達するようにした畦塗り機１において、
上記伝動フレーム１２の基端部を機体の出力部１１に対し水平方向に回動自在に軸支し、伝動フレーム１２の先端部に前記前処理体１９及び整畦体２０を水平方向に回動可能に支持し、該伝動フレーム１２の基端側軸支部に設けたリンク体２５を介して伝動フレーム１２を水平方向に回動可能とすると共に、該伝動フレーム１２の基端側軸支部を本体フレーム２に対して水平方向に移動させる平行リンク５，６を設け、該平行リンク５，６を介して前処理体１９及び整畦体２０の水平方向の移動量を調節可能に支持したことを特徴としている。
【０００５】
Ｂ．上記リンク体２５及び平行リンク５，６にシリンダ機構２６，２２を介装し、これらシリンダ機構２６，２２の伸縮作動により前処理体１９及び整畦体２０を水平方向に回動し、あるいは水平方向の移動量を調節可能としたことを特徴としている。
【０００６】
【作用】
上記の構成により本発明の畦塗り機は、以下の作用を行う。
ａ．上記Ａ．（請求項１）の構成により、伝動フレーム１２の基端部を機体の出力部１１に対し水平方向に回動自在に軸支し、伝動フレーム１２の先端部に前記前処理体１９及び整畦体２０を水平方向に回動可能に支持し、該伝動フレーム１２の基端側軸支部に設けたリンク体２５を介して伝動フレーム１２を水平方向に回動可能とすると共に、該伝動フレーム１２の基端側軸支部を本体フレーム２に対して水平方向に移動させる平行リンク５，６を設け、該平行リンク５，６を介して前処理体１９及び整畦体２０の水平方向の移動量を調節可能に支持したことで、前処理体及び整畦体を機体一側に位置させた状態で走行機体及び畦塗り機を前進させながら畦整形作業を行い、前処理体及び整畦体を機体他側に位置させた状態で走行機体及び畦塗り機をバックさせながら作業して圃場全体の畦整形作業が行われる。また、前処理体及び整畦体の水平方向の移動量が自在に調節され、走行機体（トラクタ）の幅に合った適切な位置で作業が行われる。
【０００７】
ｂ．上記Ｂ．（請求項２）の構成により、リンク体２５及び平行リンク５，６にシリンダ機構２６，２２を介装し、これらシリンダ機構２６，２２の伸縮作動により前処理体１９及び整畦体２０を水平方向に回動し、あるいは水平方向の移動量を調節可能としたことで、作業者はトラクタに乗ったまま、前処理体及び整畦体の水平方向の回動、及び水平方向の移動量の調節操作が容易に行える。
【０００８】
【発明の実施の形態】
以下、本発明の実施の形態を添付の図面を参照して具体的に説明する。
図１及び図２において、符号１は図示しないトラクタの後部に設けられたトップリンク及びロアリンクからなる三点リンク連結機構に連結されて、整畦作業を行う畦塗り機である。この畦塗り機１は、伝動フレームを兼ねる本体フレーム２を、機体の進行方向と直交するようにして設けている。この本体フレーム２には、前端部から前方に向け突出し、トラクタのＰＴＯ軸からユニバーサルジョイント及び伝動軸を介して動力を受ける図示しない入力軸が設けられ、また、上方に突出するトップリンク連結部３を設けると共に、下部左右両側にロアリンク連結部４，４を設け、トラクタの三点リンク連結機構に連結するようにしている。
【０００９】
本体フレーム２の後部に前端が枢着された左右一対の平行リンク５，６の後端部に支持・伝動フレーム７が枢着され、左右方向に移動（オフセット）可能になっている。この支持・伝動フレーム７の左右中央位置に、入力軸から入力された動力が伝動機構８を介して伝達され、ベベルギヤ９，１０により変速して後述する前処理体１９及び整畦体２０に動力伝達する変速ギヤボックス１１を設けている。この変速ギヤボックス１１の下側に伝動フレーム１２の基端部がベアリング１３を介して水平方向に回動自在に軸支されている。伝動フレーム１２の基端部にはベアリング１４，１４を介して伝動軸１５が軸支され、その上端部は変速ギヤボックス１１内に突出していて、ここに上記ベベルギヤ１０が固設されている。伝動フレーム１２は１つのフレーム構造のもので、伝動軸１５に固設されているスプロケットホイール１６に巻装されたチェーン１７を介して先端側に動力伝達するようにしている。
【００１０】
伝動フレーム１２の先端部には、元畦の一部及び圃場を耕耘して畦状に盛り上げる耕耘ロ−タ１８を備えた前処理体１９、及びこの前処理体１９により耕耘された土壌を回転しながら畦に成形する多角円錐ドラムからなる整畦体２０を支持している。前処理体１９及び整畦体２０には、伝動フレーム１２の先端部に水平方向に回動自在に枢着された伝動ケース２１からそれぞれ動力伝達される。そして、前処理体１９及び整畦体２０は、伝動フレーム１２の基端部（変速ギヤボックス１１の位置）及び伝動フレーム１２の伝動ケース２１への枢着部を回動中心として水平方向に１８０度回動可能である。
【００１１】
上記平行リンク５，６の一方のリンク５の支持・伝動フレーム７との枢支位置と、他方のリンク６の中間部との間に、オフセット量調節用電動シリンダ２２が介装され、この電動シリンダ２２の伸縮作動により前処理体１９及び整畦体２０の左右のオフセット量が無段階に調節可能である。そして、前処理体１９及び整畦体２０を右側にオフセットした図１及び図２の状態から、図４の前処理体１９及び整畦体２０を機体中央側に寄せた状態、図５の前処理体１９及び整畦体２０を１８０度回転させて左側にオフセットした状態、図６の前処理体１９及び整畦体２０を１８０度回転させて機体中央側に寄せた状態まで、無段階に調節可能である。
【００１２】
伝動フレーム１２の基端部には、図３に示すように、伝動フレーム側枢支部２３及び本体フレーム側枢支部２４により枢着されたリンク体２５が設けられ、このリンク体２５の先端部と支持・伝動フレーム７との間に電動シリンダ２６が介装されている。そして、この電動シリンダ２６を伸縮作動させると、リンク体２５が本体フレーム側枢支部２４を中心に回動し、伝動フレーム１２は伝動フレーム側枢支部２３により基端部を中心に回動して、前処理体１９及び整畦体２０を、図１の位置から図５及び図６の位置まで、無段階に１８０度の範囲内で回転移動させる。
【００１３】
前処理体１９及び整畦体２０の上側は、前処理体カバー１９ａ及び整畦体カバー２０ａにより覆われている。このうちの前処理体カバー１９ａは、左右スライド調節ハンドル２７により左右方向にスライドして耕耘土壌の放出方向を調節するようにしている。また、前処理体１９は上下調節（耕耘深さ調節）も可能である。一方、整畦体２０の近傍には整畦体上下調整装置２８が設けられ、整畦体２０の上下調節が行われる。また、伝動ケース２１の端部には、三角ディスク状のゲージホイール２９が上下調節ハンドル３０により上下調節され、前処理体１９及び整畦体２０の全体が上下調節される。
【００１４】
このような構成の畦塗り機１においては、トラクタの三点リンク連結機構に畦塗り機１のトップリンク連結部３及びロアリンク連結部４，４を連結し、トラクタのＰＴＯ軸から入力軸に動力を伝達し、この動力を伝動機構８を介して変速ギヤボックス７に伝達し、ここでベベルギヤ９，１０により変速し、伝動フレーム１２、伝動ケース２１を介して前処理体１９及び整畦体２０に伝達して駆動回転させ、それぞれの作業が行われる。
【００１５】
前処理体１９では、耕耘ロ−タ１８により元畦の一部及び圃場を耕耘して元畦に対して畦状に盛り上げ、その耕耘された土壌を、整畦体２０の多角円錐状ドラムの多角の稜線と平面部が回転して畦法面を叩いて畦に成形する。また、多角円錐状ドラムと一体的に設けた水平筒状体２０ｂが、畦の頂部に回転しながら接して畦の頂部を均平にする。
【００１６】
この実施例の畦塗り機１は、通常は前処理体１９及び整畦体２０を図１及び図２の状態に機体の右側セットされて前進方向に移動しながら圃場を左回りし、畦塗り機１の右側に畦を形成していく。圃場の角部などにおいて畦を精度良く形成しようとするときは、一旦前処理体１９及び整畦体２０の駆動回転を停止し、トラクタの三点リンク連結機構により畦塗り機１を持ち上げ、電動シリンダ２６を伸長させる。すると、リンク体２５を介して伝動フレーム１２は基端部を中心に水平方向に回動し、前処理体１９及び整畦体２０は、図１の位置から図５の位置まで１８０度回転移動する。このとき、電動シリンダ２６及びリンク体２５は、図３（ａ）〜（ｃ）のように順に作動する。そして、畦塗り機１が図５または図６の状態で前処理体１９及び整畦体２０を駆動させ、トラクタを畦を形成しようとする側に後退させて畦塗り機１を矢印方向に移動させながら作業を行うことで、圃場全体の整畦作業が精度良く行われる。
【００１７】
畦塗り機１を装着するトラクタの大きさ（幅）や圃場の状態や土質等により畦塗り機１の水平方向の移動量を調節するときは、オフセット量調節用電動シリンダ２２を伸縮させることによって、平行リンク５，６が左右方向に回動して畦塗り機１を水平方向に移動させ、その移動量を任意に調節して適切な整畦作業を行うことができる。
【００１８】
【発明の効果】
以上説明したように本発明の畦塗り機によれば、以下の効果を奏することができる。
【００１９】
イ．伝動フレーム１２の基端部を機体の出力部１１に対し水平方向に回動自在に軸支し、伝動フレーム１２の先端部に前記前処理体１９及び整畦体２０を水平方向に回動可能に支持し、該伝動フレーム１２の基端側軸支部に設けたリンク体２５を介して伝動フレーム１２を水平方向に回動可能とすると共に、該伝動フレーム１２の基端側軸支部を本体フレーム２に対して水平方向に移動させる平行リンク５，６を設け、該平行リンク５，６を介して前処理体１９及び整畦体２０の水平方向の移動量を調節可能に支持したので、通常の整畦作業のほか、前処理体及び整畦体の水平方向に回動することで、走行機体及び畦塗り機をバックさせながら作業して圃場全体の畦整形作業を行うことができる。また、前処理体及び整畦体の水平方向の移動量が自在に調節されることで、走行機体（トラクタ）の幅に合った適切な位置で整畦作業を行うことができる。
【００２０】
ロ．リンク体２５及び平行リンク５，６にシリンダ機構２６，２２を介装し、これらシリンダ機構２６，２２の伸縮作動により前処理体１９及び整畦体２０を水平方向に回動し、あるいは水平方向の移動量を調節可能としたので、作業者は走行機体（トラクタ）に乗ったまま、前処理体及び整畦体の水平方向の回動、及び水平方向の移動量の調節操作を容易に行うことができる。
【図面の簡単な説明】
【図１】本発明による畦塗り機の前処理体及び整畦体を右側にオフセットした状態の平面図である。
【図２】同カバー類及びシリンダ機構を取り外した状態の平面図（ａ）、伝動フレームの回動部分の断面図（ｂ）である。
【図３】リンク体、シリンダ機構の作動状態の底面図で、（ａ）は通常作業時、（ｂ）は９０度回動状態、（ｃ）は１８０度回動状態（バック作業時）を示す。
【図４】前処理体及び整畦体を機体中央側に移動させた状態の平面図である。
【図５】前処理体及び整畦体を１８０度回動し、左側にオフセットした状態の平面図である。
【図６】前処理体及び整畦体を１８０度回動し、機体中央側に移動させた状態の平面図である。
【符号の説明】
１    畦塗り機
２    本体フレーム
３    トップリンク連結部
４    ロアリンク連結部
５，６  平行リンク
７    支持・伝動フレーム
８    伝動機構
９，１０  ベベルギヤ
１１  変速ギヤボックス
１２  伝動フレーム
１３，１４  ベアリング
１５  伝動軸
１６  スプロケットホイール
１７  チェーン
１８  耕耘ロ−タ
１９  前処理体  １９ａ  カバー
２０  整畦体  ２０ａ  カバー  ２０ｂ  水平筒状体
２１  伝動ケース
２２，２６  電動シリンダ
２３  伝動フレーム側枢支部
２４  本体フレーム側枢支部
２５  リンク体
２７  左右スライド調節ハンドル
２８  整畦体上下調整装置
２９  ゲージホイール
３０  上下調節ハンドル
【図１】
0003868673.tif 000002
【図２】
0003868673.tif 000003
【図３】
0003868673.tif 000004
【図４】
0003868673.tif 000005
【図５】
0003868673.tif 000006
【図６】
0003868673.tif 000007